(57)【要約】【課題】データ信号について、無線アクセスネットワークを介することなく複数の移動局間で直接通信を行う。【解決手段】本発明に係る移動通信方法は、移動局ＵＥ＃１及び移動局ＵＥ＃２が、無線基地局ｅＮＢに対して、スケジューリングに必要な情報を送信する工程Ａと、無線基地局ｅＮＢが、受信したスケジューリングに必要な情報に基づいて、移動局ＵＥ＃１及び移動局ＵＥ＃２に対して、無線基地局ｅＮＢを介することなく移動局ＵＥ＃１と移動局ＵＥ＃２との間で直接通信するように指示するスケジューリング情報を送信する工程Ｂと、移動局ＵＥ＃１及び移動局ＵＥ＃２が、かかるスケジューリング情報に基づいて、無線基地局ｅＮＢを介することなくデータ信号を送受信する工程Ｃとを有する。【選択図】図４
2012119827.tif 000002
【特許請求の範囲】
【請求項１】
第１移動局及び第２移動局が、無線基地局に対して、スケジューリングに必要な情報を送信する工程Ａと、
前記無線基地局が、受信した前記情報に基づいて、前記第１移動局及び前記第２移動局に対して、該無線基地局を介することなく該第１移動局と該第２移動局との間で直接通信するように指示するスケジューリング情報を送信する工程Ｂと、
前記第１移動局及び前記第２移動局が、前記スケジューリング情報に基づいて、前記無線基地局を介することなくデータ信号を送受信する工程Ｃとを有することを特徴とする移動通信方法。
【請求項２】
前記工程Ａにおいて、前記第１移動局及び前記第２移動局は、前記情報として、自身のバッファ内の状況を示すバッファステータスレポートを送信することを特徴とする請求項１に記載の移動通信方法。
【請求項３】
前記工程Ａにおいて、前記第１移動局及び前記第２移動局は、前記情報として、スケジューリング要求を送信することを特徴とする請求項１に記載の移動通信方法。
【請求項４】
前記第１移動局及び前記第２移動局が、それぞれ前記直接通信を行うためのトラフィックチャネルにおける無線状況を測定する工程を有し、
前記工程Ａにおいて、前記第１移動局及び前記第２移動局は、前記情報として、測定した前記無線状況を示すチャネル状況情報を送信することを特徴とする請求項１に記載の移動通信方法。
【請求項５】
無線基地局であって、
第１移動局及び第２移動局から、スケジューリングに必要な情報を受信するように構成されている受信部と、
受信した前記情報に基づいて、スケジューリング処理を行うように構成されているスケジューリング部と、
前記第１移動局及び前記第２移動局に対して、前記無線基地局を介することなく該第１移動局と該第２移動局との間で直接通信するように指示するスケジューリング情報を送信するように構成されている送信部とを具備することを特徴とする無線基地局。
【請求項６】
移動局であって、
無線基地局に対して、スケジューリングに必要な情報を送信するように構成されている送信部と、
前記無線基地局から、該無線基地局を介することなく他の移動局との間で直接通信するように指示するスケジューリング情報を受信した場合、該他の移動局との間で確立されているトラフィックチャネルを介してデータ信号を送受信するように構成されている制御部とを具備することを特徴とする移動局。
【請求項７】
前記送信部は、前記情報として、自身のバッファ内の状況を示すバッファステータスレポートを送信するように構成されていることを特徴とする請求項６に記載の移動局。
【請求項８】
前記送信部は、前記情報として、スケジューリング要求を送信するように構成されていることを特徴とする請求項６に記載の移動局。
【請求項９】
前記トラフィックチャネルにおける無線状況を測定するように構成されている測定部を具備し、
前記送信部は、前記情報として、測定した前記無線状況を示すチャネル状況情報を送信するように構成されていることを特徴とする請求項６に記載の移動局。
【発明の詳細な説明】
【技術分野】
【０００１】
本発明は、移動通信方法、無線基地局及び移動局に関する。
【背景技術】
【０００２】
Ｗ-ＣＤＭＡ（Ｗｉｄｅｂａｎｄ-Ｃｏｄｅ  Ｄｉｖｉｓｉｏｎ  Ｍｕｌｔｉｐｌｅ  Ａｃｃｅｓｓ）方式やＬＴＥ（Ｌｏｎｇ  Ｔｅｒｍ  Ｅｖｏｌｕｔｉｏｎ）の方式等のセルラー方式の移動通信システムでは、複数の移動局ＵＥ同士の通信は、無線アクセスネットワーク装置やコアネットワーク装置等を介して行われるように構成されている。
【先行技術文献】
【非特許文献】
【０００３】
【非特許文献１】３ＧＰＰ  ＴＳ３６.３００  ｖ１０.０.０
【発明の概要】
【発明が解決しようとする課題】
【０００４】
しかしながら、従来のセルラー方式の移動通信システムでは、複数の移動局ＵＥが、同一セル（或いは、無線アクセスネットワーク装置配下のセル）内に配置されている場合であっても、データ信号及び制御信号の両方が、無線アクセスネットワーク装置を介して送受信されるように構成されているため、無線アクセスネットワーク装置の処理負荷が増大してしまうという問題点があった。
【０００５】
そこで、本発明は、上述の課題に鑑みてなされたものであり、データ信号について、無線アクセスネットワークを介することなく複数の移動局間で直接通信を行うことができる移動通信方法、無線基地局及び移動局を提供することを目的とする。
【課題を解決するための手段】
【０００６】
本発明の第１の特徴は、移動通信方法であって、第１移動局及び第２移動局が、無線基地局に対して、スケジューリングに必要な情報を送信する工程Ａと、前記無線基地局が、受信した前記情報に基づいて、前記第１移動局及び前記第２移動局に対して、該無線基地局を介することなく該第１移動局と該第２移動局との間で直接通信するように指示するスケジューリング情報を送信する工程Ｂと、前記第１移動局及び前記第２移動局が、前記スケジューリング情報に基づいて、前記無線基地局を介することなく直接通信する工程Ｃとを有することを要旨とする。
【０００７】
本発明の第２の特徴は、無線基地局であって、第１移動局及び第２移動局から、スケジューリングに必要な情報を受信するように構成されている受信部と、受信した前記情報に基づいて、スケジューリング処理を行うように構成されているスケジューリング部と、前記第１移動局及び前記第２移動局に対して、前記無線基地局を介することなく該第１移動局と該第２移動局との間で直接通信するように指示するスケジューリング情報を送信するように構成されている送信部とを具備することを要旨とする。
【０００８】
本発明の第３の特徴は、移動局であって、無線基地局に対して、スケジューリングに必要な情報を送信するように構成されている送信部と、前記無線基地局から、該無線基地局を介することなく他の移動局との間で直接通信するように指示するスケジューリング情報を受信した場合、該他の移動局との間で確立されているトラフィックチャネルを介してデータ信号を送受信するように構成されている制御部とを具備することを要旨とする。
【発明の効果】
【０００９】
以上説明したように、本発明によれば、データ信号について、無線アクセスネットワークを介することなく複数の移動局間で直接通信を行うことができる移動通信方法、無線基地局及び移動局を提供することができる。
【図面の簡単な説明】
【００１０】
【図１】本発明の第１の実施形態に係る移動通信システムの全体構成図である。
【図２】本発明の第１の実施形態に係る無線基地局の機能ブロック図である。
【図３】本発明の第１の実施形態に係る移動局の機能ブロック図である。
【図４】本発明の第１の実施形態に係る移動通信システムの動作を示すシーケンス図である。
【発明を実施するための形態】
【００１１】
（本発明の第１の実施形態に係る移動通信システム）
図１乃至図４を参照して、本発明の第１の実施形態に係る移動通信システムについて説明する。
【００１２】
本実施形態に係る移動通信システムは、ＬＴＥ方式の移動通信システムであって、図１に示すように、無線基地局ｅＮＢ＃１と、移動局ＵＥ＃１/ＵＥ＃２とを具備している。なお、本発明は、ＬＴＥ方式以外のセルラー方式の移動通信システムにも適用可能である。
【００１３】
図２に示すように、無線基地局ｅＮＢは、受信部１１と、スケジューリング部１２と、送信部１３とを具備している。
【００１４】
受信部１１は、無線基地局ｅＮＢ配下のセルにおいてＣｏｎｎｅｃｔｅｄ状態の移動局ＵＥ＃１/ＵＥ＃２によって送信された制御信号、例えば、スケジューリングに必要な情報を受信するように構成されている。
【００１５】
例えば、受信部１１は、スケジューリングに必要な情報として、移動局ＵＥ＃１/ＵＥ＃２のＳＲ（Ｓｃｈｅｄｕｌｉｎｇ  Ｒｅｑｕｅｓｔ）を受信するように構成されていてもよい。
【００１６】
また、受信部１１は、スケジューリングに必要な情報として、移動局ＵＥ＃１/ＵＥ＃２のバッファ内の状況を示すＢＳＲ（Ｂｕｆｆｅｒ  Ｓｔａｔｕｓ  Ｒｅｐｏｒｔ）を受信するように構成されていてもよい。
【００１７】
さらに、受信部１１は、スケジューリングに必要な情報として、移動局ＵＥ＃１と移動局ＵＥ＃２との間で設定されているトラフィックチャネル＃１２/＃２１におけるＣＳＩ（Ｃｈａｎｎｅｌ  Ｓｔａｔｅ  Ｉｎｆｏｒｍａｔｉｏｎ）を受信するように構成されていてもよい。
【００１８】
ＣＳＩには、ＣＱＩ（Ｃｈａｎｎｅｌ  Ｑｕａｌｉｔｙ  Ｉｎｄｉｃａｔｏｒ）、ＲＩ（Ｒａｎｋ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）等が含まれてもよい。ＲＩ及びＰＭＩは、ＭＩＭＯ（Ｍｕｌｔｉｐｌｅ  Ｉｎｐｕｔ  Ｍｕｌｔｉｐｌｅ  Ｏｕｔｐｕｔ）送信を適応的に制御するための情報である。
【００１９】
具体的には、受信部１１は、移動局ＵＥ＃１から、トラフィックチャネル＃２１におけるＣＳＩを受信し、移動局ＵＥ＃２から、トラフィックチャネル＃１２におけるＣＳＩを受信するように構成されていてもよい。
【００２０】
ここで、受信部１１は、ＭＡＣ（Ｍｅｄｉａ  Ａｃｃｅｓｓ  Ｃｏｎｔｒｏｌ）信号として、ＢＳＲを受信し、ＰＵＣＣＨ（Ｐｈｙｓｉｃａｌ  Ｕｐｌｉｎｋ  Ｃｏｎｔｒｏｌ  Ｃｈａｎｎｅｌ）を介して、ＳＲ及びＣＳＩを受信するように構成されていてもよい。
【００２１】
スケジューリング部１２は、受信部１１によって受信されたスケジューリングに必要な情報に基づいて、移動局ＵＥ＃１/ＵＥ＃２に対するスケジューリング処理を行うように構成されている。
【００２２】
例えば、スケジューリング部１２は、所定タイミング（サブフレーム）において、移動局ＵＥ＃１と移動局ＵＥ＃２との間で設定されているトラフィックチャネル＃１２を介して移動局ＵＥ＃１が移動局ＵＥ＃２に対してデータ信号を送信することができるようにスケジューリング処理を行ってもよい。
【００２３】
或いは、スケジューリング部１２は、所定タイミング（サブフレーム）において、移動局ＵＥ＃１と移動局ＵＥ＃２との間で設定されているトラフィックチャネル＃２１を介して移動局ＵＥ＃２が移動局ＵＥ＃１に対してデータ信号を送信することができるようにスケジューリング処理を行ってもよい。
【００２４】
送信部１３は、ＰＤＣＣＨ（Ｐｈｙｓｉｃａｌ  Ｄｏｗｎｌｉｎｋ  Ｃｏｎｔｒｏｌ  Ｃｈａｎｎｅｌ）を介して、移動局ＵＥ＃１/ＵＥ＃２に対して、制御信号、例えば、上述のスケジューリング情報を送信するように構成されている。
【００２５】
例えば、送信部１３は、ＰＤＣＣＨを介して、移動局ＵＥ＃１/ＵＥ＃２に対して、トラフィックチャネル＃１２を介して移動局ＵＥ＃１が移動局ＵＥ＃２に対してデータ信号を送信することができる旨を示すスケジューリング情報＃１２を送信するように構成されている。
【００２６】
或いは、送信部１３は、ＰＤＣＣＨを介して、移動局ＵＥ＃１/ＵＥ＃２に対して、トラフィックチャネル＃２１を介して移動局ＵＥ＃２が移動局ＵＥ＃１に対してデータ信号を送信することができる旨を示すスケジューリング情報を＃２１送信するように構成されている。
【００２７】
なお、送信部１３は、ＰＤＣＣＨを介して送信するスケジューリング情報に、移動局ＵＥ＃１及びＵＥ＃２のどちらが送信（又は受信）するかについて示すビットを設けるように構成されていてもよい。
【００２８】
ここで、送信部１３は、同一のＲＮＴＩ（Ｒａｄｉｏ  Ｎｅｔｗｏｒｋ  Ｔｅｍｐｏｒａｒｙ  Ｉｄｅｎｔｉｔｙ）によってマスキングされたＰＤＣＣＨを介して、移動局ＵＥ＃１/ＵＥ＃２に対して、スケジューリング情報＃１２/＃２１を送信するように構成されていてもよい。
【００２９】
送信部１３は、移動局＃１/ＵＥ＃２に対して、制御メッセージ（ＲＲＣメッセージ）を用いて、かかるＲＮＴＩを事前に指定しておいてもよい。
【００３０】
図３に示すように、移動局ＵＥ＃１/ＵＥ＃２は、受信部２１と、送信部２２と、制御部２３とを具備している。
【００３１】
受信部２１は、ＰＤＣＣＨを介して、無線基地局ｅＮＢから、制御信号、例えば、上述のスケジューリング情報を受信するように構成されている。
【００３２】
また、受信部２１は、上述のスケジューリング情報に基づいて、他の移動局ＵＥ＃２/ＵＥ＃１との間で設定されているトラフィックチャネル＃２１/＃１２を介して、データ信号を受信するように構成されている。
【００３３】
送信部２２は、無線基地局ｅＮＢに対して、制御信号、例えば、上述のＢＳＲやＳＲやＣＳＩを送信するように構成されている。
【００３４】
また、送信部２２は、他の移動局ＵＥ＃２/ＵＥ＃１との間で設定されているトラフィックチャネル＃２１/＃１２を介して、他の移動局ＵＥ＃２/ＵＥ＃１２に対して、データ信号を送信するように構成されている。
【００３５】
制御部２３は、上述のトラフィックチャネル＃２１/＃１２における無線状況を測定し、ＣＳＩを算出するように構成されている。
【００３６】
例えば、移動局ＵＥ＃１の制御部２３は、上述のトラフィックチャネル＃２１における無線状況を測定し、移動局ＵＥ＃２の制御部２３は、上述のトラフィックチャネル＃１２における無線状況を測定するように構成されている。
【００３７】
ここで、制御部２３は、かかるＣＳＩとして、ＣＱＩ（Ｃｈａｎｎｅｌ  Ｑｕａｌｉｔｙ  Ｉｎｄｉｃａｔｏｒ）や、ＲＩ（Ｒａｎｋ  Ｉｎｄｉｃａｔｏｒ）や、ＰＭＩ（Ｐｒｅｃｏｄｉｎｇ  Ｍａｔｒｉｘ  Ｉｎｄｉｃａｔｏｒ）等を算出するように構成されている。
【００３８】
以下、図４を参照して、本発明の第１の実施形態に係る移動通信システムの動作の一例について説明する。
【００３９】
図４に示すように、ステップＳ１００１Ａにおいて、移動局ＵＥ＃１が、無線基地局ｅＮＢに対して、上述のＢＳＲやＳＲやＣＳＩ等のスケジューリングに必要な情報を送信し、ステップＳ１００１Ｂにおいて、移動局ＵＥ＃２が、無線基地局ｅＮＢに対して、上述のＢＳＲやＳＲやＣＳＩ等のスケジューリングに必要な情報を送信する。
【００４０】
無線基地局ｅＮＢは、ステップＳ１００２において、移動局ＵＥ＃１/ＵＥ＃２から取得したスケジューリングに必要な情報に基づいて、スケジューリング処理を行い、ステップＳ１００３において、ＰＤＣＣＨを介して、移動局ＵＥ＃１/ＵＥ＃２に対して、スケジューリング情報、例えば、トラフィックチャネル＃１２を介して移動局ＵＥ＃１が移動局ＵＥ＃２に対してデータ信号を送信することができる旨を示すスケジューリング情報を送信する。
【００４１】
本発明の第１の実施形態に係る移動通信システムによれば、データ信号は、無線基地局ｅＮＢを介することなく移動局ＵＥ＃１と移動局ＵＥ＃２との間で直接通信されるように構成されているため、セルラー方式の移動通信システムにおいて、無線基地局ｅＮＢの処理負荷を軽減することができる。
【００４２】
また、本発明の第１の実施形態に係る移動通信システムによれば、制御信号は、移動局ＵＥ＃１/ＵＥ＃２から無線基地局ｅＮＢに対して送信されるように構成されているため、すなわち、無線基地局ｅＮＢが、移動局ＵＥ＃１と移動局ＵＥ＃２との間の直接通信についてのスケジューリング処理を行うように構成されているため、無線基地局ｅＮＢを管理する通信事業者は、かかる直接通信に係る情報（例えば、課金情報等）を把握することができる。
【００４３】
以上に述べた本実施形態の特徴は、以下のように表現されていてもよい。
【００４４】
本実施形態の第１の特徴は、移動局ＵＥ＃１（第１移動局）及び移動局ＵＥ＃２（第２移動局）が、無線基地局ｅＮＢに対して、スケジューリングに必要な情報を送信する工程Ａと、無線基地局ｅＮＢが、受信したスケジューリングに必要な情報に基づいて、移動局ＵＥ＃１及び移動局ＵＥ＃２に対して、無線基地局ｅＮＢを介することなく移動局ＵＥ＃１と移動局ＵＥ＃２との間で直接通信するように指示するスケジューリング情報を送信する工程Ｂと、移動局ＵＥ＃１及び移動局ＵＥ＃２が、かかるスケジューリング情報に基づいて、無線基地局ｅＮＢを介することなくデータ信号を送受信する工程Ｃとを有することを要旨とする。
【００４５】
本実施形態の第１の特徴において、工程Ａにおいて、移動局ＵＥ＃１及び移動局ＵＥ＃２は、スケジューリングに必要な情報として、自身のバッファ内の状況を示すＢＳＲ（バッファステータスレポート）を送信してもよい。
【００４６】
本実施形態の第１の特徴において、工程Ａにおいて、移動局ＵＥ＃１及び移動局ＵＥ＃２は、スケジューリングに必要な情報として、ＳＲ（スケジューリング要求）を送信してもよい。
【００４７】
本実施形態の第１の特徴において、移動局ＵＥ＃１及び移動局ＵＥ＃２が、それぞれ直接通信を行うためのトラフィックチャネルにおける無線状況を測定する工程を有し、工程Ａにおいて、移動局ＵＥ＃１及び移動局ＵＥ＃２は、スケジューリングに必要な情報として、測定した無線状況を示すＣＳＩ（チャネル状況情報）を送信してもよい。
【００４８】
本実施形態の第２の特徴は、無線基地局ｅＮＢであって、移動局ＵＥ＃１及び移動局ＵＥ＃２から、スケジューリングに必要な情報を受信するように構成されている受信部１１と、受信したスケジューリングに必要な情報に基づいて、スケジューリング処理を行うように構成されているスケジューリング部１２と、移動局ＵＥ＃１及び移動局ＵＥ＃２に対して、無線基地局ｅＮＢを介することなく移動局ＵＥ＃１と移動局ＵＥ＃２との間で直接通信するように指示するスケジューリング情報を送信するように構成されている送信部１３とを具備することを要旨とする。
【００４９】
本実施形態の第３の特徴は、移動局ＵＥ＃１/ＵＥ＃２であって、無線基地局ｅＮＢに対して、スケジューリングに必要な情報を送信するように構成されている送信部２２と、無線基地局ｅＮＢから、無線基地局ｅＮＢを介することなく他の移動局ＵＥ＃２/ＵＥ＃１との間で直接通信するように指示するスケジューリング情報を受信した場合、他の移動局ＵＥ＃２/ＵＥ＃１との間で確立されているトラフィックチャネルを介してデータ信号を送受信するように構成されている送信部２１/受信部２２とを具備することを要旨とする。
【００５０】
本実施形態の第３の特徴において、送信部２２は、スケジューリングに必要な情報として、ＢＳＲを送信するように構成されていてもよい。
【００５１】
本実施形態の第３の特徴において、送信部２２は、スケジューリングに必要な情報として、ＳＲを送信するように構成されていてもよい。
【００５２】
本実施形態の第３の特徴において、上述のトラフィックチャネルにおける無線状況を測定するように構成されている制御部（測定部）２３を具備し、送信部２２は、スケジューリングに必要な情報として、ＣＳＩを送信するように構成されていてもよい。
【００５３】
なお、上述の無線基地局ｅＮＢや移動局ＵＥ＃１/ＵＥ＃２の動作は、ハードウェアによって実施されてもよいし、プロセッサによって実行されるソフトウェアモジュールによって実施されてもよいし、両者の組み合わせによって実施されてもよい。
【００５４】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００５５】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢや移動局ＵＥ＃１/ＵＥ＃２内に設けられていてもよい。また、かかる記憶媒体及びプロセッサは、ディスクリートコンポーネントとして無線基地局ｅＮＢや移動局ＵＥ＃１/ＵＥ＃２内に設けられていてもよい。
【００５６】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００５７】
ｅＮＢ…無線基地局
ＵＥ…移動局
１１、２１…受信部
１２…スケジューリング部
１３、２２…送信部
２３…制御部
【図１】
2012119827.tif 000003
【図２】
2012119827.tif 000004
【図３】
2012119827.tif 000005
【図４】
2012119827.tif 000006